(57)【要約】【課題】回収作業者が煩雑な算出作業を行うことなく、しかも取り扱う紙幣の枚数の増加に起因した作業の煩雑化を招来することなく売上金の回収を行うこと。【解決手段】入金額に応じて物品の払い出しを行う物品払出装置において、千円札収納部６１及び二千円札収納部６２、五千円札収納部６３、一万円札収納部６４を有した紙幣収納金庫６０と、紙幣が投入された場合にその金種を識別し、これを分別して紙幣収納金庫６０に収納する紙幣取扱手段７０と、物品の払い出しを行った場合にその売上総額と二千円札収納部６２、五千円札収納部６３、一万円札収納部６４に収納した紙幣の合計金額と収納総額とを比較し、売上総額が収納総額を上回った場合に不足額の払い出しを行う一方、売上総額が収納総額を下回った場合にはその差額を差戻額として報知する主制御部９０とを備えている。【選択図】          図６
2008146599.tif 000002
【特許請求の範囲】
【請求項１】
入金額に応じて物品の払い出しを行う物品払出装置において、
金種を基準として紙幣が分別収納される金庫部を有した紙幣収納部と、
紙幣が投入された場合にその金種を識別し、それぞれを対応する金庫部に収納する紙幣取扱手段と、
物品の払い出しを行った場合にその売上総額及び回収用として設定されている金庫部に収納した紙幣の合計金額である収納総額をそれぞれ管理し、回収要求が与えられた場合に前記売上総額と前記収納総額とを比較し、売上総額が収納総額を上回った場合に不足額の払い出しを行う一方、売上総額が収納総額を下回った場合にはその差額を差戻額として報知する制御手段とを備えたことを特徴とする物品払出装置。
【請求項２】
前記紙幣収納部は、予め回収用として設定した金種の紙幣を収納する回収用金庫部と、設定した以外の金種の紙幣を収納する常設用金庫部とを有するものであることを特徴とする請求項１に記載の物品払出装置。
【請求項３】
前記制御手段は、売上総額に端数がある場合にはこの端数に対応する額の硬貨を払い出し、かつこの払い出した端数を前記差戻額に加算して報知することを特徴とする請求項１または請求項２に記載の物品払出装置。
【発明の詳細な説明】
【技術分野】
【０００１】
本発明は、自動販売機や自動貸出機等のように、投入された紙幣の金額に応じて物品の払い出しを行う物品払出装置に関するものである。
【背景技術】
【０００２】
遊技場などに設置してあるメダル自動貸出機では、物品の払い出しに伴って機器の内部に収納される紙幣の枚数が多くなるため、定期的に売上金の回収を行うようにしている。売上金の回収を行う場合には、係員が投入された紙幣を一旦すべて抜き取った後、この抜き取った紙幣の中から売上総額に相当する紙幣のみを回収する一方、その他の紙幣を再びメダル自動貸出機に返却するようにしているのが一般的である。
【０００３】
しかしながら、上述した回収作業にあっては、売上総額と抜き取った紙幣の合計額との差額を計算し、この差額に応じた紙幣の返却を行わなければならない。そこで、従来では、売上金の回収作業を容易化した物品払出装置が提案されている。
【０００４】
例えば、特許文献１には、通常の紙幣収納部のほかに、回収専用の紙幣収納部（以下、「回収紙幣収納部」という）が設けられているとともに、売上金を回収する際の差額を払い出す釣銭払出手段が設けられた自動販売貸出装置が記載されている。この自動販売貸出装置では、物品の払い出しの際に紙幣が投入されると、現在の売上総額から回収紙幣収納部に収納されている紙幣の合計金額を減算し、投入された紙幣の金額が減算結果以下の場合にのみこれを回収紙幣収納部に収納するようにしている。
【０００５】
売上金の回収時には、回収紙幣収納部に収納されている紙幣を回収する。この際、回収紙幣収納部に収納されている紙幣の合計金額が売上金額を下回る場合には、釣銭払出手段からその差額に応じた貨幣が払い出されることになる。従って、売上金の回収作業者は、売上総額と回収紙幣収納部に収納されていた紙幣の合計金額とから差額を算出する必要がなく、単に回収紙幣収納部の紙幣と釣銭払出手段から払い出された貨幣を回収すればよいことになる。
【０００６】
【特許文献１】特開２００６−２４４１０８号公報
【発明の開示】
【発明が解決しようとする課題】
【０００７】
しかしながら、特許文献１に記載された自動販売貸出装置は、上述したように投入された紙幣の額が、現在の売上総額から回収紙幣収納部に収納されている紙幣の合計金額を減算した際の差額以下であった場合にのみ回収紙幣収納部に収納するようにしたものである。従って、回収紙幣収納部に収納される紙幣の金種は、そのときの差額によってのみ決定されることになり、これを制御することは不可能である。
【０００８】
ここで、この種の物品払出装置において多く投入される紙幣の金種は、金額が最も小さい千円札である。しかも、特許文献１の自動販売貸出装置にあっては、投入された紙幣の金額が売上総額から回収紙幣収納部に収納されている紙幣の合計金額を減算した際の差額以下のときにのみこれを回収紙幣収納部に収納するものであるから、千円札を超えた額の紙幣が回収紙幣収納部に収納される機会もきわめて少なくなる。これらの結果、回収紙幣収納部に収納される紙幣の金種としては、千円札の占める割合がもっとも高くならざるを得ない。従って、売上総額が同じ場合であっても、回収紙幣収納部に収納される紙幣の枚数が多くなり、取り扱う紙幣の枚数の増加に起因して回収作業が煩雑化する虞れがある。
【０００９】
本発明は、上記実情に鑑みて、回収作業者が煩雑な算出作業を行うことなく、しかも取り扱う紙幣の枚数の増加に起因した作業の煩雑化を招来することなく売上金の回収を行うことのできる物品払出装置を提供することを目的とする。
【課題を解決するための手段】
【００１０】
上記の目的を達成するために、本発明の請求項１に係る物品払出装置は、入金額に応じて物品の払い出しを行う物品払出装置において、金種を基準として紙幣が分別収納される金庫部を有した紙幣収納部と、紙幣が投入された場合にその金種を識別し、それぞれを対応する金庫部に収納する紙幣取扱手段と、物品の払い出しを行った場合にその売上総額及び回収用として設定されている金庫部に収納した紙幣の合計金額である収納総額をそれぞれ管理し、回収要求が与えられた場合に前記売上総額と前記収納総額とを比較し、売上総額が収納総額を上回った場合に不足額の払い出しを行う一方、売上総額が収納総額を下回った場合にはその差額を差戻額として報知する制御手段とを備えたことを特徴とする。
【００１１】
また、本発明の請求項２に係る物品払出装置は、上記請求項１において、前記紙幣収納部は、予め回収用として設定した金種の紙幣を収納する回収用金庫部と、設定した以外の金種の紙幣を収納する常設用金庫部とを有するものであることを特徴とする。
【００１２】
また、本発明の請求項３に係る物品払出装置は、上記請求項１または請求項２において、前記制御手段は、売上総額に端数がある場合にはこの端数に対応する額の硬貨を払い出し、かつこの払い出した端数を前記差戻額に加算して報知することを特徴とする。
【発明の効果】
【００１３】
本発明によれば、売上総額が収納総額を上回った場合、回収用に設定されている金庫部に収納された紙幣をすべて抜き取るとともに、別途貨幣が払い出された場合にはこれをすべて回収すれば、物品払出装置から売上総額に相当する貨幣を回収することが可能となる。この場合、回収作業者自らが売上金額の総計や回収金額との差額を算出する必要はなく、単に貨幣の回収のみを行えばよいため、その作業をきわめて容易に行うことが可能である。しかも、回収用に設定されている金庫部に収納する紙幣の金種として例えば二千円札、五千円札、一万円札を設定すれば、二千円札、五千円札、一万円札のみを回収することができるため、取り扱う枚数が著しく少なくなり、その取り扱いに関する作業も容易となる。
【００１４】
一方、売上総額が収納総額を下回った場合には、紙幣をすべて抜き取るとともに、別途貨幣が払い出された場合にはこれをすべて回収した後、表示された差戻額に相当する紙幣を差し戻せば、物品払出装置から売上総額に相当する貨幣を回収することが可能となる。この場合、回収作業者自らが売上金額の総計や回収金額との差額、差戻額を算出する必要はなく、単に貨幣の回収及び表示された紙幣の投入を行えばよいため、その作業をきわめて容易に行うことが可能である。
【発明を実施するための最良の形態】
【００１５】
以下に添付図面を参照して、本発明に係る物品払出装置の好適な実施の形態について詳細に説明する。
【００１６】
図１及び図２は、本発明の実施の形態である物品払出装置を示したものである。ここで例示する物品払出装置は、投入された紙幣の金額に応じて遊技媒体であるメダルを所定枚数払い出すメダル貸機として用いられるものである。
【００１７】
図からも明らかなように、このメダル貸機の本体キャビネット１０は、前面が開口した箱状を成すもので、その前面に扉体１１を備えている。扉体１１は、その一側縁部を介して本体キャビネット１０の一側部に揺動可能に支持してあり、本体キャビネット１０の前面開口を開閉する態様で一側縁部を軸心として揺動することが可能である。本体キャビネット１０と扉体１１との間には、施錠手段１５が設けてある。この施錠手段１５によって施錠した場合には、扉体１１によって本体キャビネット１０の前面開口を閉塞した状態に維持することが可能である。施錠手段１５を解錠すれば、扉体１１を開閉移動させることにより、本体キャビネット１０の前面開口を開放することが可能である。
【００１８】
図１に示すように、扉体１１の前面には、選択ボタン２０、表示手段２１、硬貨投入口２６、硬貨払出口２２、メダル払出口２３、紙幣投入口２４、紙幣返却口２５が設けてある。
【００１９】
選択ボタン２０は、メダルの貸出単位を選択するための押ボタンスイッチであり、例えば扉体１１の上方部に配設してある。選択ボタン２０によって選択された貸出単位を示す選択信号は、後述する主制御部９０に与えられることになる。表示手段２１は、表示データが与えられた場合にこの表示データに応じた可視表示を行うためのもので、例えば扉体１１の上方部に配設してある。硬貨投入口２６は、投入された硬貨を後述する硬貨処理手段３０に受け渡すための開口である。硬貨払出口２２は、後述する硬貨処理手段３０から硬貨が払い出された場合に、この払い出された硬貨を扉体１１の前面側から取り出すための開口であり、扉体１１の下方部に設けてある。メダル払出口２３は、後述するメダル払出手段４０から払い出された場合に、この払い出されたメダルを扉体１１の前面側から取り出すための開口であり、扉体１１において硬貨払出口２２よりもさらに下方となる部位に設けてある。紙幣投入口２４は、紙幣を投入するための開口であり、紙幣返却口２５は、紙幣を返却するための開口である。
【００２０】
一方、本体キャビネット１０の内部には、硬貨処理手段３０、メダル払出手段４０が配設してある。硬貨処理手段３０は、硬貨投入口２６から硬貨が投入された場合にその真偽を識別して貯留するものである。またこの硬貨処理手段３０は、払出指令が与えられた場合に、予め内部に貯留された硬貨を払出指令に応じた金額だけ払い出すものである。硬貨処理手段３０が払い出した硬貨は、上述の硬貨払出口２２を通じて外部から取り出し可能となる。メダル払出手段４０は、貸出指令が与えられた場合に、予め内部に貯留されたメダルを貸出指令に応じた枚数だけ払い出すものである。メダル払出手段４０から払い出されたメダルは、上述のメダル払出口２３を通じて外部から取り出し可能となる。
【００２１】
さらに、上記メダル貸機には、本体キャビネット１０の内部に回収操作スイッチ５０、紙幣収納金庫（紙幣収納部）６０及び紙幣取扱手段７０を備えている。
【００２２】
回収操作スイッチ５０は、回収作業者が売上金の回収要求を行う場合にＯＮ操作する一方、回収が終了した旨を通知する場合にＯＦＦ操作する手動スイッチであり、本体キャビネット１０の前面を開放した場合に外部に露出される位置に設けてある。
【００２３】
紙幣収納金庫６０は、紙幣を金種ごとに分別収納するための収納部を複数備えて構成したものである。具体的には、千円札収納部６１、二千円札収納部６２、五千円札収納部６３、一万円札収納部６４及びリジェクト紙幣収納部６５を備えて紙幣収納金庫６０が構成してある。千円札収納部６１、二千円札収納部６２、五千円札収納部６３、一万円札収納部６４は、それぞれの紙幣を金種ごとに収納するためのものである。リジェクト紙幣収納部６５は、識別することのできなかった紙幣を収納するためのものである。それぞれの収納部６１，６２，６３，６４，６５では、紙幣が上下方向に積層された状態で収納されることになる。
【００２４】
図には明示していないが、この紙幣収納金庫６０は、扉体１１を開成した状態において本体キャビネット１０の前面開口から引き出すことが可能である。紙幣収納金庫６０を本体キャビネット１０から引き出した場合には、それぞれの収納部６１，６２，６３，６４，６５に対して紙幣を手作業で出し入れすることができる。
【００２５】
紙幣取扱手段７０は、本体キャビネット１０の内部において紙幣を搬送するためのもので、紙幣搬送路７１を備えている。本実施の形態では、扉体１１の紙幣投入口２４に対応する部位から紙幣収納金庫６０の千円札収納部６１に至る間に設けた主搬送路７１ａと、この主搬送路７１ａから二千円札収納部６２、五千円札収納部６３、一万円札収納部６４及びリジェクト紙幣収納部６５に至る間にそれぞれ分岐した収納搬送路７１ｂ，７１ｃ，７１ｄ，７１ｅとを備えて紙幣搬送路７１を構成している。また、紙幣搬送路７１には、主搬送路７１ａから扉体１１の紙幣返却口２５に対応する部位までの間に、返却搬送路７１ｆが分岐延在してある。図には明示していないが、紙幣搬送路７１は、適宜箇所に搬送ローラ対を備え、これら搬送ローラ対を回転させることにより所望の方向に紙幣を搬送するように構成してある。また、紙幣搬送路７１の分岐部には、それぞれゲート部材が配設してあり、これらのゲート部材を適宜動作させることにより、紙幣を目的の場所に搬送することが可能である。
【００２６】
主搬送路７１ａには、その経路中に入金検出センサ７２、入金紙幣識別部７３、出金紙幣識別部７４、紙幣繰出手段７５が設けてある。入金検出センサ７２は、扉体１１の紙幣投入口２４から紙幣が投入された場合にこれを検出するもので、主搬送路７１ａにおいて紙幣投入口２４の直後となる部位に配設してある。入金紙幣識別部７３及び出金紙幣識別部７４は、それぞれ主搬送路７１ａにおいて紙幣の識別を行うものである。入金紙幣識別部７３は、入金検出センサ７２の直後となる位置に配設してある。出金紙幣識別部７４は、千円札収納部６１の直前となる位置に配設してある。これら入金検出センサ７２、入金紙幣識別部７３、出金紙幣識別部７４の検出結果は、それぞれ後述する主制御部９０に与えられることになる。
【００２７】
紙幣繰出手段７５は、繰出指令が与えられた場合に、千円札収納部６１に収納された紙幣を繰出指令に応じた枚数だけ主搬送路７１ａに繰り出すためのもので、可動プレート７５ａ及び繰出ローラ７５ｂを備えて構成してある。可動プレート７５ａは、千円札収納部６１の底壁を構成するもので、昇降モータ７５ｃの駆動によって適宜上下動することが可能である。繰出ローラ７５ｂは、可動プレート７５ａが上昇した場合にこれに積層された紙幣に圧接され、この状態から回転することにより、千円札収納部６１に収納された紙幣を順次主搬送路７１ａに繰り出すものである。
【００２８】
図３は、このメダル貸機の制御系を示すブロック図である。図３に示す主制御部９０は、予めメモリ９１に格納されたプログラムやデータ、さらには上述の選択ボタン２０、回収操作スイッチ５０、入金検出センサ７２、入金紙幣識別部７３、出金紙幣識別部７４からの与えられた検出信号に基づいて、表示手段２１、硬貨処理手段３０、メダル払出手段４０、紙幣搬送路７１、紙幣繰出手段７５の動作を制御するもので、貸出制御部９２、回収制御部９３を有している。
【００２９】
貸出制御部９２は、主にメダルの貸出処理を行うものである。すなわち、貸出制御部９２は、入金紙幣識別部７３からの識別結果及び選択ボタン２０からの選択信号に基づいて払い出すべきメダルの枚数を演算し、その演算結果である貸出指令をメダル払出手段４０に与えるものである。
【００３０】
回収制御部９３は、主に売上金の回収処理を行うものであり、売上管理部９４、収納紙幣管理部９５及び差額精算部９６を有している。売上管理部９４は、貸出制御部９２においてメダルが払い出された場合に都度その売上金額を取得し、これを順次加算することにより売上総額としてメモリ９１に格納するものである。収納紙幣管理部９５は、上述した紙幣収納金庫６０のうち、予め設定された回収用の収納部に収納されている紙幣の枚数をカウントし、その合計金額を収納総額としてメモリ９１に格納するものである。本実施の形態では、二千円札収納部６２、五千円札収納部６３、一万円札収納部６４の３つの収納部が売上金回収用の収納部（回収用金庫部）として設定してある一方、千円札収納部６１が回収を行わない常設の収納部（常設用金庫部）として設定してある。従って、上記収納紙幣管理部９５では、二千円札収納部６２、五千円札収納部６３、一万円札収納部６４の３つの収納部に収納されている紙幣の合計金額を収納総額として管理するようにしている。差額精算部９６は、精算指令が与えられた場合に、売上管理部９４の管理する売上総額と収納紙幣管理部９５の管理する収納総額とを取得し、これらの差額から予め設定した手順に従って精算処理を行うものである。
【００３１】
図４は、メダル貸機の主制御部９０が実行する処理の内容を示したフローチャートである。以下、このフローチャートを参照しながらメダル貸機の動作について説明する。
【００３２】
メダル貸機が稼働状態にある場合、主制御部９０は、予め設定したサイクルタイムごとに、選択ボタン２０もしくは入金検出センサ７２、さらには硬貨処理手段３０を通じてメダルの貸出操作があるか否かを監視するとともに（ステップＳ１）、回収操作スイッチ５０を通じて回収作業が行われるか否かを監視する処理を行う（ステップＳ２）。
【００３３】
この状態から選択ボタン２０がＯＮ操作され、あるいは入金検出センサ７２を通じて紙幣の入金を確認し、あるいは硬貨処理手段３０を通じて硬貨の入金を確認すると（ステップＳ１：ＹＥＳ）、主制御部９０は、メダル貸出処理を実施する（ステップＳ１００）。
【００３４】
このメダル貸出処理において主制御部９０は、図５に示すように、まず、タイマーをスタートし（ステップＳ１０１）、その後、このタイマーがタイムアップするまでの間に貸出条件が充足したか否かを判断する（ステップＳ１０２、ステップＳ１０３）。貸出条件とは、利用者が選択ボタン２０によって貸出単位の選択を行い、かつこの貸出単位のメダルに相当する金額以上の貨幣を投入することである。この貸出条件が充足することなくタイマーがタイムアップした場合（ステップＳ１０３：ＹＥＳ）、主制御部９０は終了処理を実施し（ステップＳ１０４）、その後に手順をリターンさせる。終了処理とは、例えば貸出単位未満の貨幣が投入されていた場合にこれを紙幣返却口２５や硬貨払出口２２から返却する処理である。尚、上述した処理の間においては、表示手段２１を通じて貨幣の投入を促す表示、選択ボタン２０の操作を促す表示、貨幣が投入された場合にその金額表示、等々、貸出操作を行う場合に必要となる情報が都度表示されることになる。
【００３５】
一方、所定の時間内に貸出条件が充足した場合（ステップＳ１０２：ＹＥＳ）、主制御部９０は、硬貨処理手段３０を通じた投入硬貨の識別、あるいは入金紙幣識別部７３を通じた投入紙幣の識別を行い（ステップＳ１０５）、これが正貨幣であることを条件に、メダル払出手段４０に貸出指令を出力し、所定枚数のメダルを払い出す（ステップＳ１０６：ＹＥＳ→ステップＳ１０７）。さらに、釣銭がある場合には、釣銭の払い出しを行う（ステップＳ１０８：ＹＥＳ→ステップＳ１０９）。尚、ステップＳ１０６において、投入された紙幣を真券でないと判断した場合、主制御部９０は、例えば表示手段２１を通じてエラー表示を行い（ステップＳ１１０）、その後に手順をリターンさせる。
【００３６】
以上の処理により、利用者に対しては、投入した貨幣の額に応じたメダルが貸し出されることになる。
【００３７】
一方、利用者に対するメダルの払い出しを終了した主制御部９０は、次いで売上管理部９４を通じて売上総額の更新処理を行い（ステップＳ１１１）、その後、紙幣搬送路７１を適宜動作させることにより、金額に応じた収納部６１，６２，６３，６４に紙幣を収納する処理を実行する（ステップＳ１１２）。すなわち、利用者によって投入された紙幣の金種が千円札であれば千円札収納部６１に収納し、また五千円札であれば五千円札収納部６３に収納するよりを行う。
【００３８】
その後、主制御部９０は、収納した紙幣が予め設定した収納部６２，６３，６４に収納したものであった場合（ステップＳ１１３：ＹＥＳ）、収納紙幣管理部９５を通じて収納総額を更新する処理を実施し（ステップＳ１１４）、手順をリターンさせる。
【００３９】
以下、メダル貸機に対して利用者が貸出操作を行うたびに上述のメダル貸出処理が実施されることになり、メダルの貸出に応じて売上総額が順次更新され、また投入された紙幣が二千円札、五千円札、一万円札のいずれかであった場合、収納総額が都度更新されることになる。
【００４０】
一方、メダル貸機が稼働状態にある場合に、回収操作スイッチ５０がＯＮ操作されると（ステップＳ２：ＹＥＳ）、つまり売上金の回収作業者が、回収作業を行うべく施錠手段１５を解錠した後に扉体１１を開放し、さらに回収操作スイッチ５０をＯＮ操作した場合、主制御部９０は、売上金回収処理を実施する（ステップＳ２００）。
【００４１】
この売上金回収処理において主制御部９０は、図６に示すように、差額精算部９６を通じて売上管理部９４の管理する売上総額と収納紙幣管理部９５の管理する収納総額とを取得してそれらを比較し、売上総額が収納総額以下であるか否かを判断する（ステップＳ２０１）。
【００４２】
売上総額が収納総額より大きい場合（ステップＳ２０１：ＮＯ→ステップＳ２０２：ＹＥＳ）、二千円札収納部６２、五千円札収納部６３、一万円札収納部６４の３つの収納部６２，６３，６４に収納されている紙幣をすべて抜き取ったとしてもその合計金額が売上総額に達しない場合、主制御部９０は、紙幣繰出手段７５に対して適宜指令を与えることにより、売上総額と収納総額との差額、つまり回収金額の不足分に相当する貨幣の払い出しを行う（ステップＳ２０３）。次いで、主制御部９０は、売上管理部９４が管理する売上総額及び収納紙幣管理部９５が管理する収納総額をそれぞれゼロクリアし（ステップＳ２０４）、その後、回収操作スイッチ５０がＯＦＦ操作された時点で手順をリターンさせる（ステップＳ２０５：ＹＥＳ）。尚、紙幣繰出手段７５によって繰り出された紙幣は、都度、出金紙幣識別部７４によって識別された後、紙幣搬送路７１によって紙幣返却口２５から払い出されることになる。但し、例えば重送等の原因によって紙幣繰出手段７５から繰り出された紙幣を出金紙幣識別部７４によって識別できなかった場合、主制御部９０は、これをリジェクト紙幣収納部６５に収納する処理を行う。
【００４３】
一方、売上回収処理において売上総額と収納総額とが一致した場合（ステップＳ２０１：ＮＯ→ステップＳ２０２：ＮＯ）、主制御部９０は、ステップＳ２０３の処理を行うことなく、ステップＳ２０４において売上総額及び収納総額をクリアし、その後、回収操作スイッチ５０がＯＦＦ操作された時点で手順をリターンさせる（ステップＳ２０５：ＹＥＳ）。
【００４４】
これらの処理の結果、回収作業者は、二千円札収納部６２、五千円札収納部６３、一万円札収納部６４の３つの収納部６２，６３，６４に収納されている紙幣をすべて抜き取るとともに、別途紙幣返却口２５や硬貨払出口２２から貨幣が払い出された場合にはこれをすべて回収すれば、メダル貸機から売上総額に相当する貨幣を回収することが可能となる。この場合、回収作業者自らが売上金額の総計や回収金額との差額を算出する必要はなく、単に貨幣の回収のみを行えばよいため、その作業をきわめて容易に行うことが可能である。しかも、紙幣収納金庫６０から回収する紙幣は、千円札以外の紙幣のみである。この結果、同じ金額の売上総額を回収する場合であっても、千円札のみによって回収する場合に比べて取り扱う紙幣の枚数が著しく少なくなり、その取り扱いに関する作業も容易となる。
【００４５】
これに対して売上総額が収納総額以下であった場合（ステップＳ２０１：ＹＥＳ）、つまり、二千円札収納部６２、五千円札収納部６３、一万円札収納部６４の３つの収納部６２，６３，６４に収納されている紙幣をすべて抜き取るとその合計金額が売上総額を上回る場合、主制御部９０は、売上総額に端数があるか否かを判断する（ステップＳ２０６）。端数とは、紙幣で取り扱うことのできない金額、つまり１０００円未満の金額のことである。
【００４６】
売上総額に端数がある場合（ステップＳ２０６：ＹＥＳ）、主制御部９０は、硬貨処理手段３０に対して払出指令を与えることにより、端数に対応した硬貨の払い出しを行う（ステップＳ２０７）。しかる後、主制御部９０は、差戻額を算出し（ステップＳ２０８）、さらに表示手段２１を通じて算出した差戻額の表示処理を行う（ステップＳ２０９）。差戻額とは、（収納総額）−（売上総額）＋（端数）によって算出される金額である。
【００４７】
ここで、上述したステップＳ２０７〜Ｓ２０９の処理では、売上総額に対して収納総額が大きい場合にも関わらず、さらに端数に相当する貨幣の払い出しを行い、この払い出した端数を加味した差戻額を演算するようにしている。これは、回収作業者が現在所持している紙幣のみを使って、売上総額と収納総額との差額を差し戻せるようにするための処理である。具体的には、仮に収納総額が５０００円で売上総額が３４５０円であるとすると、このままでは１５５０円差し戻さなければならないが、端数である４５０円をさらにメダル貸機から払い出せば、差戻額を２０００円とすることができる。
【００４８】
差戻額を表示した主制御部９０は、次いで、売上管理部９４が管理する売上総額及び収納紙幣管理部９５が管理する収納総額をそれぞれゼロクリアし（ステップＳ２１０）、その後、入金検出センサ７２を通じて紙幣入金の有無を監視する（ステップＳ２１１）。
【００４９】
この状態から回収作業者が紙幣投入口２４から紙幣を投入し、これが入金検出センサ７２によって検出されると（ステップＳ２１１：ＹＥＳ）、主制御部９０は、入金紙幣識別部７３を通じて投入紙幣の識別を行う（ステップＳ２１２）。
【００５０】
回収作業者によって差戻額以上の紙幣が投入されると（ステップＳ２１３：ＹＥＳ）、主制御部９０は、投入された紙幣の金額と差戻額とが一致するか否かを判断する（ステップＳ２１４）。
【００５１】
投入された紙幣の金額が差戻額を上回る場合（ステップＳ２１４：ＹＥＳ）、主制御部９０は、紙幣繰出手段７５及び硬貨処理手段３０に対して適宜指令を与えることにより、その差額分の貨幣の払い出しを行い（ステップＳ２１５）、その後に手順をステップＳ２１６に移行させる。
【００５２】
一方、投入された紙幣の金額が差戻額と一致した場合（ステップＳ２１４：ＮＯ）、ステップＳ２１５の処理を実施することなく手順をステップＳ２１６に移行させる。
【００５３】
ステップＳ２１６において主制御部９０は、回収操作スイッチ５０を通じて回収作業が終了されたか否かを判断し、回収操作スイッチ５０がＯＦＦ操作された場合（ステップＳ２１６：ＹＥＳ）、紙幣搬送路７１を適宜動作させることにより、金額に応じた収納部６２，６３，６４に紙幣を収納する処理を実行する（ステップＳ２１７）。この場合、回収作業者から投入される紙幣は、二千円札収納部６２、五千円札収納部６３、一万円札収納部６４のいずれかに収納されていた紙幣であるため、収納紙幣管理部９５を通じて収納総額を更新するよりを実施し（ステップＳ２１８）、手順をリターンさせる。
【００５４】
以上の処理の結果、回収作業者は、二千円札収納部６２、五千円札収納部６３、一万円札収納部６４の３つの収納部６２，６３，６４に収納されている紙幣をすべて抜き取るとともに、別途紙幣返却口２５や硬貨払出口２２から貨幣が払い出された場合にはこれをすべて回収した後、表示手段２１に表示された差戻額に相当する紙幣を紙幣投入口２４から差し戻せば、メダル貸機から売上総額に相当する貨幣を回収することが可能となる。この場合、回収作業者自らが売上金額の総計や回収金額との差額、差戻額を算出する必要はなく、単に貨幣の回収及び表示された紙幣の投入を行えばよいため、その作業をきわめて容易に行うことが可能である。しかも、紙幣収納金庫６０から回収する紙幣は、千円札以外の紙幣のみである。この結果、同じ金額の売上総額を回収する場合であっても、千円札のみによって回収する場合に比べて取り扱う紙幣の枚数が著しく少なくなり、その取り扱いに関する作業も容易となる。
【００５５】
以下、回収作業者が回収操作スイッチ５０をＯＮ操作するたびに上述の売上金回収処理が実施されることになる。
【００５６】
尚、上述した実施の形態では、二千円札、五千円札、一万円札の紙幣を回収するようにしているが、本発明はこれに限定されず、例えば五千円札、一万円札の紙幣のみ、あるいは一万円札の紙幣のみを回収するようにしても構わない。
【００５７】
また、上述した実施の形態では、物品払出装置としてメダル貸機を例示しているが、その他の物品を貸し出すもの、あるいは自動販売機のように商品の販売を行うものにも適用することが可能である。
【００５８】
さらに、上述した実施の形態では、予め紙幣収納部に回収用金庫部と常設用金庫部とを設定し、回収用金庫部に収納した紙幣のみを回収するようにしているが、本発明ではこれに限定されない。例えば、紙幣収納部としては、単に金種を基準として紙幣を分別収納するようにした金庫部を複数備えるものを適用し、回収作業時に複数の金庫部の中から回収すべき金種を収納した金庫部を選択するようにしても構わない。
【図面の簡単な説明】
【００５９】
【図１】本発明の物品払出装置の外観を示す正面図である。
【図２】図１に示した物品払出装置の内部構造を示す概略断面図である。
【図３】図１に示した物品払出装置の制御系を示すブロック図である。
【図４】図３に示した主制御部が実施する処理の内容を示すフローチャートである。
【図５】図４に示したメダル貸出処理を示すフローチャートである。
【図６】図４に示した売上金回収処理を示すフローチャートである。
【符号の説明】
【００６０】
１０      本体キャビネット
１１      扉体
１５      施錠手段
２０      選択ボタン
２１      表示手段
２２      硬貨払出口
２３      メダル払出口
２４      紙幣投入口
２５      紙幣返却口
２６      硬貨投入口
３０      硬貨処理手段
４０      メダル払出手段
５０      回収操作スイッチ
６０      紙幣収納金庫
６１      千円札収納部
６２      二千円札収納部
６３      五千円札収納部
６４      一万円札収納部
６５      リジェクト紙幣収納部
７０      紙幣取扱手段
７１      紙幣搬送路
７２      入金検出センサ
７３      入金紙幣識別部
７４      出金紙幣識別部
７５      紙幣繰出手段
９０      主制御部
９１      メモリ
９２      貸出制御部
９３      回収制御部
９４      売上管理部
９５      収納紙幣管理部
９６      差額精算部
【図１】
2008146599.tif 000003
【図２】
2008146599.tif 000004
【図３】
2008146599.tif 000005
【図４】
2008146599.tif 000006
【図５】
2008146599.tif 000007
【図６】
2008146599.tif 000008